(57)【要約】      （修正有）【課題】狭い場所でも簡単に、綺麗な写真を撮影出来る環境を作ることが出来、軽く小さくコンパクトに折り畳んで持ち運びすることが可能な可搬式撮影台を提供する。【解決手段】撮影台は、枠体１０が、８本のパイプ１０ａを直列に並べ、隣り合うパイプの一端を支柱１０ｂで軸支し、支柱の周りに回動可能に連結して、折り畳み可能に構成される。装着用パイプ１１が、枠体の両端に位置する２本のパイプ１０ａ１を端部パイプとし、２本の端部パイプの他端のそれぞれに装着される。また壁面用パイプ１２が、複数のパイプ１２ａをコの字状に着脱可能に構成し、枠体の中央に位置する２本のパイプ１０ａ２の外側両端にそれぞれ軸支された２本の支柱１０ｂ１を壁面用支柱として、両端が、２本の壁面用支柱の上端にそれぞれ装着される。更に、クッション１３と、シート１４と、複数のクリップ１５と、を備える。【選択図】図１
0003226107.tif 000002
【実用新案登録請求の範囲】
【請求項１】
８本のパイプを直列に並べ、隣り合うパイプの一端を支柱で軸支し、当該支柱の周りに回動可能に連結することで構成され、８本のパイプを折り畳み可能に構成した枠体と、
前記枠体の両端に位置する２本のパイプを端部パイプとし、２本の前記端部パイプの他端のそれぞれに装着可能な装着用パイプと、
複数のパイプをコの字状に着脱可能に構成され、前記枠体の中央に位置する２本のパイプの外側の両端のそれぞれに軸支された２本の支柱を壁面用支柱として、両端のそれぞれが、２本の前記壁面用支柱の上端のそれぞれに装着可能な壁面用パイプと、
クッションと、
シートと、
複数のクリップと、
を備え、
折り畳まれた前記枠体を広げて、前記枠体の支柱で立てて、前記枠体の２本の端部パイプの他端のそれぞれに、前記装着用パイプの両端のそれぞれを装着することで、前記枠体の囲いを形成し、
前記枠体の囲いのうち、２本の前記壁面用支柱の上端のそれぞれに、コの字状に連結された前記壁面用パイプの両端のそれぞれを装着することで、前記壁面用パイプの背景壁面を形成し、
前記枠体の囲いの中に前記クッションを設置し、前記枠体の囲いと、前記壁面用パイプの背景壁面と、前記クッションとのそれぞれの上面を前記シートで覆い、前記シートを前記枠体の囲いに前記複数のクリップのそれぞれで留めることで、撮影台を構成する、
可搬式撮影台。
【請求項２】
前記クッションは、
前記クッションの一方の側面に設けられ、表面が第一の面ファスナーで構成された第一のベルトと、
前記第一のベルトの先端に設けられた円環状の把持部と、
前記クッションの他方の側面に設けられ、裏面が、前記第一の面ファスナーに着脱可能な第二の面ファスナーで構成された第二のベルトと、
を備え、
前記第二のベルトを前記第一のベルトに引き寄せて、前記把持部の中に前記第二のベルトの先端を通して、前記第二のベルトの裏面の第二の面ファスナーを前記第一のベルトの表面の第一の面ファスナーに付着させる、
請求項１に記載の可搬式撮影台。
【考案の詳細な説明】
【技術分野】
【０００１】
本考案は、可搬式撮影台に関する。
【背景技術】
【０００２】
従来、任意の場所で綺麗な写真撮影をすることが可能な可搬式の撮影台に関する技術が多数存在する。例えば、特開２００２−２５８３６５号公報（特許文献１）には、写真撮影装置と、写真撮影用均一照明ユニットと、が開示されている。写真撮影装置は、撮影台と、照明光源と、を備えている。撮影台は、被写体を載置し、照明光源は、撮影台上に載置された被写体を照明する。写真撮影用均一照明ユニットは、写真撮影装置の撮影台上に設置され、被写体を均一に照明するために用いられ、一対の光拡散板と、一対の保持フレームと、一つのつっかい棒と、他の一つのつっかい棒と、板状のリンクとを有する。一対の光拡散板は、被写体への照明光を拡散させるためのものであり、一対の保持フレームは、各光拡散板を保持し左右に配置される。一つのつっかい棒は、一端部が一つの保持フレームの前端下部に枢支され、他端部が他方の保持フレームの前端下部に係合することができ、他の一つのつっかい棒は、一端部が一つの保持フレームの前端上部に枢支され、他端部が他方の保持フレームの前端上部に係合することができる。リンクは、中央部が垂直方向の軸の周りに折り曲げ自在に枢支され、かつ、両端部が各保持フレームの背面側に垂直方向の軸の周りに回動自在に枢支されている。一対の保持フレームは、相互間隔を広げたり、折りたたまれた上記板状のリンクとともに重なり合った状態に狭めたりすることができ、一対の保持フレームの相互間隔が広がった状態で、一対のつっかい棒により一対の保持フレームの前面側を連結することができる。これにより、使用時に、一対の保持フレームの相互間隔が広がった状態にされ、一対の保持フレームの前端上部と前端下部とがそれぞれつっかい棒で連結され、一対の保持フレームの後端部は板状のリンクで連結されているため、箱状に組み立てられた照明ユニットの剛性が高められるとしている。また、一対の保持フレームの前端上部と前端下部とを連結する一対のつっかい棒は、それぞれ一端部が一つの保持フレームに枢支され、他端部はもう一つの保持フレームに係合される構成であるから、簡単な構成であり、照明ユニット組み立て操作および折りたたみ操作が容易になるとしている。
【０００３】
又、実用新案登録第３１１１６８０号公報（特許文献２）には、写真撮影用の照明を設置する照明架台が開示されている。照明架台は、下面枠、上面枠、および、該下面枠と上面枠とを連結する支柱から構成されており、上面枠、下面枠、および、支柱は、端面に凹凸部を有する複数の部材を繋ぎ合わせて組み立てられ、上面枠を傾斜した位置で固定することにより、該上面枠に設置する照明の角度を調整できる。これにより、簡便な構造で、しかも、分解して容易に持ち運べる写真撮影用照明架台を提供することができるとしている。
【０００４】
又、特開２００６−１７１０８８号公報（特許文献３）には、架台と、面光源と、係止腕と、バックシートと、載置体とを備える、近距離撮影用の撮影ライティング装置が開示されている。架台は、一対の支柱が立設され、面光源は、高さを調整して支柱間に支持され上方から被写体に向けて光を照射する。係止腕は、支柱に取り付けられ把持部の高さ及び被写体との間隔が調整され、バックシートは、把持部から垂下され被写体の背後に配置される。載置体は、被写体を載置して支柱間に支持され、高さの調整と共に載置面のスライドと傾斜をさせることが可能である。そして、撮影ライティング装置は、バックシートの垂下端が載置体に載置又は係止されたときに該載置体の操作でその形状と反射光の光量を変化させることができ、過度に遠近が強調された構図の修正を行うときには、載置体の操作で構図の一次的修正を行うと同時に、反射光の変化を誘引して修正に伴う陰影の変化を低減する。これにより、持ち運びが容易で、ロケ地等の電源事情にあまり影響されることがなく、省電力であり、被写体の大きさや高さ、その他の多様なライティングのニーズに自在に対応してフレキシブルにセッティングでき、如何なる場所にも簡単にミニスタジオを設営でき、ワンタッチもしくは簡単な操作だけで扱えるので操作性に優れ、撮影に際しても近距離撮影による遠近の構図と陰影の問題が同時に容易に解消されるとしている。
【０００５】
又、特開２０１９−１２１９７号公報（特許文献３）には、被写体を載置する底板と、底板に載置される被写体の側方に位置する一対の側板と、を備えた可搬型撮影台が開示されている。可搬型撮影台は、底板に載置される被写体の後方にロール紙保持バーが配置され、底板に載置される被写体の上方に撮影機固定バーが配置され、底板の角度を変更できる。これにより、被写体の後方に配置されるロール紙保持バーに保持されるロール紙を底板まで引き出し、底板にロール紙を敷いて被写体を載置して上方から撮影でき、被写体に応じて底板の角度を変更できるので、撮影機と被写体とを正対させて撮影できるとしている。
【先行技術文献】
【特許文献】
【０００６】
【特許文献１】特開２００２−２５８３６５号公報
【特許文献２】実用新案登録第３１１１６８０号公報
【特許文献３】特開２００６−１７１０８８号公報
【特許文献４】特開２０１９−１２１９７号公報
【考案の概要】
【考案が解決しようとする課題】
【０００７】
近年、カメラマンが、顧客の元へ出向いて写真撮影を行う出張撮影サービスが登場してきている。出張撮影サービスのうち、例えば、マタニティフォトやニューボーンフォトの場合、撮影場所は、顧客の自宅や住居であることが多く、カメラマンは、リビングルームやダイニングルーム等の狭い場所で、綺麗な写真を撮影するための撮影環境を作る必要がある。
【０００８】
撮影環境は、例えば、カメラマンが、狭い平面の場所に、赤ちゃん等の被写体を置くことが可能な撮影台とクッションとを設置し、撮影台に背景となるシートを広げることで、作られる。
【０００９】
ここで、現在、市場に出回っている撮影台は、重く、大きく、折り畳めず、持ち運び出来ないという課題がある。例えば、顧客の自宅と駐車場とが離れた位置にある場合、カメラマンが、自分の車から撮影台とクッションとシートとを持って顧客の自宅に行く必要があり、カメラマンに大きな負担となる。
【００１０】
特許文献１に記載の技術では、折り畳めるものの、部品点数が多い。特許文献２に記載の技術では、折り畳めるものの、上面枠を必要とする。特許文献３に記載の技術では、載置面等の面材を必要とする。特許文献４に記載の技術では、底板や側板等の面材を必要とする。そのため、特許文献１−４に記載の技術では、部品点数が多く、装置全体として重く、大きくなるという課題がある。
【００１１】
そこで、本考案は、課題を解決するためになされたものであり、狭い場所でも、簡単に、綺麗な写真を撮影出来る撮影環境を作ることが出来るとともに、軽く、小さく、女性一人でもコンパクトに折り畳んで持ち運びすることが可能な可搬式撮影台を提供することを目的とする。
【課題を解決するための手段】
【００１２】
本考案者は、鋭意研究を重ねた結果、本考案に係る新規な可搬式撮影台を完成させた。即ち、本考案に係る可搬式撮影台は、枠体と、装着用パイプと、壁面用パイプと、クッションと、シートと、複数のクリップと、を備える。枠体は、８本のパイプを直列に並べ、隣り合うパイプの一端を支柱で軸支し、当該支柱の周りに回動可能に連結することで構成され、８本のパイプを折り畳み可能に構成している。装着用パイプは、前記枠体の両端に位置する２本のパイプを端部パイプとし、２本の前記端部パイプの他端のそれぞれに装着可能である。壁面用パイプは、複数のパイプをコの字状に着脱可能に構成され、前記枠体の中央に位置する２本のパイプの外側の両端のそれぞれに軸支された２本の支柱を壁面用支柱として、両端のそれぞれが、２本の前記壁面用支柱の上端のそれぞれに装着可能である。本考案に係る可搬式撮影台は、折り畳まれた前記枠体を広げて、前記枠体の支柱で立てて、前記枠体の２本の端部パイプの他端のそれぞれに、前記装着用パイプの両端のそれぞれを装着することで、前記枠体の囲いを形成し、前記枠体の囲いのうち、２本の前記壁面用支柱の上端のそれぞれに、コの字状に連結された前記壁面用パイプの両端のそれぞれを装着することで、前記壁面用パイプの背景壁面を形成し、前記枠体の囲いの中に前記クッションを設置し、前記枠体の囲いと、前記壁面用パイプの背景壁面と、前記クッションとのそれぞれの上面を前記シートで覆い、前記シートを前記枠体の囲いに前記複数のクリップのそれぞれで留めることで、撮影台を構成する。
【考案の効果】
【００１３】
本考案によれば、狭い場所でも、簡単に、綺麗な写真を撮影出来る撮影環境を作ることが出来るとともに、軽く、小さく、女性一人でもコンパクトに折り畳んで持ち運びすることが可能となる。
【図面の簡単な説明】
【００１４】
【図１】本考案の実施形態に係る可搬式撮影台の各部を示す概要図である。
【図２】本考案の実施形態に係る可搬式撮影台の枠体を広げた場合の平面斜視図である。
【図３】本考案の実施形態に係る可搬式撮影台の枠体で囲いを形成した場合の平面斜視図である。
【図４】本考案の実施形態に係る可搬式撮影台の枠体の囲いに壁面用パイプを装着した場合の平面斜視図である。
【図５】本考案の実施形態に係る可搬式撮影台の枠体の囲いにクッションを配置した場合の平面斜視図である。
【図６】本考案の実施形態に係る可搬式撮影台の枠体の囲いと背景壁面とクッションとにシートを被せた場合の平面斜視図である。
【図７】本考案の実施形態に係る可搬式撮影台のクッションに被写体の赤ちゃんを置いた場合の平面斜視図である。
【図８】本考案の実施形態に係る可搬式撮影台のクッションに被写体の赤ちゃんを置いて、カメラマンが写真撮影する場合の側面図である。
【図９】本考案の実施形態に係る可搬式撮影台をコンパクトにして持ち運びする場合の概要図である。
【図１０】本考案の実施形態に係る可搬式撮影台のクッションの構成を示す概要図である。
【図１１】実施例の可搬式撮影台を正面から撮影した正面写真である。
【図１２】実施例の可搬式撮影台を左側面から撮影した左側面写真である。
【図１３】実施例の可搬式撮影台において、立ち上がって撮影した写真の一例である。
【図１４】実施例の可搬式撮影台において、しゃがんで撮影した写真の一例である。
【図１５】実施例の可搬式撮影台において、光源を設置した場合の写真である。
【図１６】実施例の可搬式撮影台において、光源を用いて立ち上がって撮影した写真の一例である。
【図１７】実施例の可搬式撮影台において、光源を用いてしゃがんで撮影した写真の一例である。
【図１８】比較例の可搬式撮影台を正面から撮影した正面写真である。
【図１９】比較例の可搬式撮影台において、立ち上がって撮影した写真の一例である。
【図２０】比較例の可搬式撮影台において、しゃがんで撮影した写真の一例である。
【考案を実施するための形態】
【００１５】
以下に、添付図面を参照して、本考案の実施形態について説明し、本考案の理解に供する。尚、以下の実施形態は、本考案を具体化した一例であって、本考案の技術的範囲を限定する性格のものではない。
【００１６】
本考案の実施形態に係る可搬式撮影台１は、図１に示すように、枠体１０と、装着用パイプ１１と、壁面用パイプ１２と、クッション１３と、シート１４と、複数のクリップ１５と、を備える。
【００１７】
枠体１０は、８本のパイプ１０ａを直列に並べ、隣り合うパイプ１０ａの一端を支柱１０ｂで軸支し、当該支柱１０ｂの周りに回動可能に連結することで構成され、８本のパイプ１０ａを折り畳み可能に構成している。
【００１８】
装着用パイプ１１は、枠体１０の両端に位置する２本のパイプ１０ａ１を端部パイプとし、２本の端部パイプ１０ａ１の他端のそれぞれに装着可能である。
【００１９】
壁面用パイプ１２は、複数のパイプ１２ａをコの字状に着脱可能に構成され、枠体１０の中央に位置する２本のパイプ１０ａ２の外側の両端のそれぞれに軸支された２本の支柱１０ｂ１を壁面用支柱として、両端のそれぞれが、２本の壁面用支柱１０ｂ１の上端のそれぞれに装着可能である。
【００２０】
そして、本考案の実施形態に係る可搬式撮影台１は、図２に示すように、折り畳まれた枠体１０を広げて、枠体１０の支柱１０ｂで立てて、枠体１０の２本の端部パイプ１０ａ１の他端のそれぞれに、装着用パイプ１１の両端のそれぞれを装着することで、枠体１０の囲いを形成する。
【００２１】
次に、本考案の実施形態に係る可搬式撮影台１は、図３、図４に示すように、枠体１０の囲いのうち、２本の壁面用支柱１０ｂ１の上端のそれぞれに、コの字状に連結された壁面用パイプ１２の両端のそれぞれを装着することで、壁面用パイプ１２の背景壁面を形成する。
【００２２】
更に、本考案の実施形態に係る可搬式撮影台１は、図５、図６に示すように、枠体１０の囲いの中にクッション１３を設置し、枠体１０の囲いと、壁面用パイプ１２の背景壁面と、クッション１３とのそれぞれの上面をシート１４で覆い、シート１４を枠体１０の囲いに複数のクリップ１５のそれぞれで留めることで、撮影台を構成する。
【００２３】
これにより、狭い場所でも、簡単に、綺麗な写真を撮影出来る撮影環境を作ることが出来るとともに、軽く、小さく、女性一人でもコンパクトにして持ち運びすることが可能となる。
【００２４】
即ち、カメラマンが、折り畳まれた枠体１０を、狭い平面の場所に広げて、枠体１０の囲いを形成し、壁面用パイプ１２の背景壁面を形成し、クッション１３を置き、シート１４で覆い、シート１４をクリップ１５で留めることで、綺麗な写真を撮影出来る背景を有する撮影台を簡単に構成することが可能となる。
【００２５】
ここで、カメラマンが、図７に示すように、クッション１３の上のシート１４に被写体（例えば、赤ちゃん）を設置すれば、赤ちゃんの周りにシート１４の背景を構成することが出来る。シート１４がクリップ１５により枠体１０の囲いに張られることで、シート１４に皺が生じ難くなるため、シート１４の背景が綺麗になる。そのため、背景の中に赤ちゃんの周りに存在する背景は、皺の無い綺麗な背景となり、全体として綺麗な写真を撮影することが可能となる。
【００２６】
又、コの字状の壁面用パイプ１２を、２本のパイプ１０ａ２の両端に存在する２本の壁面用支柱１０ｂ１に装着することで、背景壁面では、壁面用パイプ１２と２本のパイプ１０ａ２とで二段のパイプ構成となる。上述のように、枠体１０全体は、折り曲げ可能な構成であることから、そのままシート１４をクリップ１５で留めたとしても、枠体１０全体に剛性が弱く、シート１４に張力を掛け難く、赤ちゃんの重量により、シート１４が沈んで、シート１４に皺が生じ易く、写真撮影用の背景として不適切となる。そこで、本考案の実施形態に係る可搬式撮影台１では、コの字状の壁面用パイプ１２により、背景壁面を二段のパイプ構成にして、背景壁面はもちろん、背景壁面の両端に存在するパイプ１０ａも固定し、枠体１０の一部の剛性を強める。これにより、枠体１０の囲いに被せたシート１４をクリップ１５で留めると、枠体１０の剛性により、シート１４に張力を掛けた状態となり、シート１４が弛むことが無く、シート１４の皺の発生を防止し、写真撮影用の背景として適切なものとすることが出来る。
【００２７】
又、本考案の実施形態に係る可搬式撮影台１では、壁面用パイプ１２の背景壁面を有するため、図８に示すように、壁面用パイプ１２の背景壁面がシート１４を適切に立ち上げることで、カメラマンが、立ち上がって写真撮影しても、しゃがんで写真撮影しても、背景中に赤ちゃんが存在する綺麗な写真を撮影することが可能となる。
【００２８】
又、背景壁面を設けることで、赤ちゃんの側面にシート１４を立ち上げることになり、カメラマンがしゃがんで写真撮影したとしても、赤ちゃんの背景にシート１４を背景として映し出すことが可能となる。又、背景壁面が存在することで、赤ちゃんのポーズも多様に設定して写真撮影することが可能である。
【００２９】
特に、顧客の自宅や住居のように生活品が溢れている狭い場所であっても、壁面用パイプ１２の背景壁面により、生活品をシート１４で隠した上で、シート１４を背景とした赤ちゃんの写真を撮影することが出来るのである。
【００３０】
又、図８に示すように、シート１４の背面に、例えば、壁面用パイプ１２の背景壁面の下方付近に、ストロボ等の光源１６を設けることで、赤ちゃんの背景から光を照射し、透け感がある綺麗な写真を撮影することが出来る。このような、背景からの光を作り出す（逆光のライティング）のは、一般的に難しいとされるが、本考案の実施形態に係る可搬式撮影台１では、枠体１０をベースとしているため、枠体１０の下方付近のどのような場所にでも光源１６を設置することが出来るため、本考案の実施形態に係る可搬式撮影台１では、逆光のライティングを作り出す上で有利な構造となっている。
【００３１】
このように、本考案の実施形態に係る可搬式撮影台１では、ニューボーンフォト、出張撮影サービス等に適している。
【００３２】
又、枠体１０が、８本のパイプ１０ａを連結して構成していることから、２本のパイプ１０ａ毎に直線状に並べて一辺を構成すれば、平面視の枠体１０の形状を略四角形にすることが可能となり、被写体の周りに背景を作成するのに丁度良い形状となる。尚、枠体１０を６本のパイプで構成したり、１０本のパイプで構成したりすると、平面視の枠体１０の形状が六角形になったり円形になったりして、背景を作成するのに狭くなったり無駄に広がったりするため、好ましくない。
【００３３】
又、枠体１０を８本のパイプ１０ａで構成した場合、２本のパイプ１０ａで一辺を構成することで、一辺の２本のパイプ１０ａを若干折り曲げることで、囲いの形状を柔軟に変更することが出来る。そのため、例えば、狭い場所であっても、枠体１０の囲いを柔軟に変形させることが出来、どのような場所であっても、撮影台として設置可能となる。
【００３４】
又、枠体１０は、折り畳み可能に最小限のパイプ１０ａを支柱１０ｂで連結するように構成しているため、全体として軽量化し、小さく構成することが出来る。そして、壁面用パイプ１２は、複数のパイプ１２ａをコの字状に着脱可能に構成しているため、複数のパイプ１２ａのそれぞれを外せば、全体として小さく構成することが出来る。そのため、図９に示すように、枠体１０と壁面用パイプ１２とをコンパクトにして、バッグ等の袋１５に収納すれば、女性一人でも簡単に持ち運びすることが可能となる。又、枠体１０と壁面用パイプ１２は、袋１５の他にスーツケース等のケースに収納することも可能である。このように、本考案の実施形態に係る可搬式撮影台１では、軽量化、小型化を実現し、力の弱い女性であっても、簡単に折り畳んで、コンパクトに持ち運びすることが可能となる。出張撮影サービスには最適である。
【００３５】
ここで、枠体１０を構成するパイプ１０ａや支柱１０ｂの種類に特に限定は無いが、例えば、ステンレス管、鋼管、アルミ管、樹脂管等を挙げることが出来る。又、パイプ１０ａの形状に特に限定は無いが、例えば、円柱、円筒、四角柱、四角筒等を挙げることが出来る。
【００３６】
又、枠体１０の構成に特に限定は無いが、例えば、下記のように構成される。図１に示すように、枠体１０の中央に位置する２本のパイプ１０ａ２を、所定の長さを有する２本の第一のパイプとし、２本の第一のパイプ１０ａ２の一端のそれぞれを相互に回動可能に連結する第一の支柱１０ｂを設ける。次に、第一のパイプ１０ａ２の長手方向の長さと第一の支柱１０ｂの径方向の長さとを加算した値と同等の長さを有する２本の第二のパイプ１０ａを用意し、第一の支柱１０ｂの長さよりも長く、２本の第一のパイプ１０ａ２の他端のそれぞれと、２本の第二のパイプ１０ａの一端のそれぞれとを相互に回動可能に連結する２本の第二の支柱１０ｂを設ける。そして、第二のパイプ１０ａの長手方向の長さと第二の支柱１０ｂの径方向の長さとを加算した値と同等の長さを有する２本の第三のパイプ１０ａを用意し、第二の支柱１０ｂの長さよりも長く、２本の第二のパイプ１０ａの他端のそれぞれと、２本の第三のパイプ１０ａの一端のそれぞれとを相互に回動可能に連結する２本の第三の支柱１０ｂを設ける。最後に、第二のパイプ１０ａの長手方向の長さから第二の支柱１０ｂの径方向の長さを減算した値と同等の長さを有する２本の第四のパイプを、枠体１０の両端に位置する２本の端部パイプ１０ａ１とし、第三の支柱１０ｂの長さと同等の長さを有し、２本の第三のパイプ１０ａの他端のそれぞれと、２本の端部パイプ１０ａ１の一端のそれぞれとを相互に回動可能に連結する２本の第四の支柱１０ｂを設ける。これにより、各パイプ１０ａ毎に支柱１０ｂを介して折り曲げてコンパクトにすることが可能となる。尚、この構成は、あくまでも一例であって、他の構成でも構わない。
【００３７】
又、枠体１０のサイズに特に限定は無いが、例えば、縦２０ｃｍ〜３０ｃｍの範囲内であり、横４０ｃｍ〜６０ｃｍの範囲内であり、奥行き３ｃｍ〜７ｃｍの範囲内であると好ましい。又、これぐらいの枠体１０のサイズであれば、総重量が１ｋｇ以下となる。これにより、女性でも簡単に持ち運びすることが出来る。
【００３８】
又、パイプ１０ａの長手方向の長さに特に限定は無いが、収納性や搬送性を考慮すると、例えば、４０ｃｍ〜６０ｃｍの範囲内であると、袋やケースに収納し易くなり、好ましい。
【００３９】
又、支柱１０ｂの底部の構成に特に限定は無いが、例えば、７本ある支柱１０ｂのいずれか又は全部に、高さ調整用の螺子を設けても良い。これにより、枠体１０の囲いを設置する場所が多少傾いていたとしても、支柱１０ｂの高さ調整用の螺子で支柱１０ｂの高さを調整することで、枠体１０の囲いを水平に保ち、綺麗な写真撮影を行うことが出来る。
【００４０】
又、支柱１０ｂの高さに特に限定は無いが、例えば、収納性や搬送性を考慮すると、例えば、１０ｃｍ〜３０ｃｍの範囲内であると、袋やケースに収納し易くなり、好ましい。
【００４１】
又、装着用パイプ１１の構成に特に限定は無いが、例えば、２本の端部パイプ１０ａ１を円筒に構成し、装着用パイプ１１を２本の端部パイプ１０ａ１の他端の中に装着可能な円筒に構成することが出来る。これにより、枠体１０の前側で、装着用パイプ１１で２本の端部パイプ１０ａ１を差し込むような構成とすることで、シート１４に張力を掛けて引っ張ったとしても、２本の端部パイプ１０ａ１の外側の支柱１０ｂのそれぞれが内側に移動してこないように、装着用パイプ１１が２本の端部パイプ１０ａ１を内側から突っ張るため、シート１４に皺が寄らずに、シート１４をピンと張った状態にすることが可能であり、綺麗な背景を作り出すことが出来る。又、枠体１０の囲いを形成した際に、枠体１０全体を突っ張るような剛性を生じさせることが可能となり、シート１４の皺の発生を防止することが可能となる。
【００４２】
又、装着用パイプ１１は、例えば、図２に示すように、一方の端部パイプ１０ａ１の他端の中に予め装着しておき、一方の端部パイプ１０ａ１の他端から伸縮自在に構成しても良い。
【００４３】
又、壁面用パイプ１２の構成に特に限定は無いが、例えば、図１に示すように、直線状であり、一端が、２本の壁面用支柱１０ｂ１の上端のそれぞれに装着可能な２本の支柱用パイプ１２ａ１と、Ｌ字状であり、一端が、２本の支柱用パイプ１２ａ１の他端のそれぞれに装着可能な２本のＬ字状パイプ１２ａ２と、両端のそれぞれが、２本のＬ字状パイプ１２ａ２の他端のそれぞれに装着可能な中央パイプ１２ａ３と、を備える。これにより、壁面用パイプ１２は、複数のパイプ１２ａを連結することで、コの字状に構成することが出来るとともに、各パイプ１２ａを外すことで、コンパクトにすることが可能となる。
【００４４】
ここで、２本のＬ字状パイプ１２ａ２に装着された中央パイプ１２ａ３は、伸縮自在に構成されると好ましい。これにより、図４、図５に示すように、２本の壁面用支柱１０ｂ１に囲まれた２本のパイプ１０ａを支柱１０ｂを介して多少折り曲げたとしても、壁面用パイプ１２を垂直に立てることが可能となり、枠体１０の設置場所に応じて柔軟に枠体１０の形状を変更することが可能となる。
【００４５】
又、壁面用パイプ１２を装着する壁面用支柱１０ｂ１の構成に特に限定は無いが、例えば、図２、図３に示すように、壁面用支柱１０ｂ１を円筒に構成し、壁面用パイプ１２の両端を２本の壁面用支柱１０ｂ１の上端の中に装着可能な円筒に構成することが出来る。これにより、簡単に壁面用パイプ１２を壁面用支柱１０ｂ１に装着して、背景壁面を形成することが可能となる。
【００４６】
又、壁面用パイプ１２の高さに特に限定は無いが、例えば、枠体１０の支柱１０ｂと同等の高さであると、約２倍の高さの背景壁面を形成することが出来るため、カメラマンが、立ったりしゃがんだりして写真撮影しても、背景中に赤ちゃんを入れた写真を得ることが可能となる。
【００４７】
又、クッション１３の構成に特に限定は無いが、例えば、赤ちゃん等の被写体を載置可能で、内部に細かい粒子を充填したビーンクッション等を挙げることが出来る。又、クッション１３の高さに特に限定は無いが、例えば、枠体１０の支柱１０ｂの高さと同等であると好ましい。これにより、枠体１０の囲いとクッション１３とのそれぞれの上面にシート１４を被せた際に、シート１４に皺を生じ難くして、写真撮影用の背景として適切とすることが可能となる。
【００４８】
ここで、クッション１３は、市販のものでも良いが、本考案の実施形態に係る可搬式撮影台１用として、例えば、下記のような構成を挙げることが出来る。即ち、図１０に示すように、クッション１３の一方の側面に設けられ、表面が第一の面ファスナーで構成された第一のベルト１３ａと、第一のベルト１３ａの先端に設けられた円環状の把持部１３ｂと、クッション１３の他方の側面に設けられ、裏面が、第一の面ファスナーに着脱可能な第二の面ファスナーで構成された第二のベルト１３ｃと、を備え、第二のベルト１３ｃを第一のベルト１３ａに引き寄せて、把持部１３ｂの中に第二のベルト１３ｃの先端を通して、第二のベルト１３ｃの裏面の第二の面ファスナーを第一のベルト１３ａの表面の第一の面ファスナーに付着させるよう構成しても良い。把持部１３ｂは、第二のベルト１３ｃを第一のベルト１３ａに強く引き寄せるために使用される。これにより、第二のベルト１３ｃの第二の面ファスナーが第一のベルト１３ａの第一の面ファスナーに付着することで、クッション１３の側面が収縮し、クッション１３の高さを高めたり、クッション１３の剛性を高めたりすることが可能となる。つまり、被写体や撮影台の設置環境に応じて、クッション１３の高さや剛性を適宜調整することが可能となり、カメラマンが、被写体のボーズなどを適切に作ることが可能となる。
【００４９】
又、シート１４の構成に特に限定は無いが、例えば、光拡散反射用シートやバックシート等を挙げることが出来る。シート１４の材質に特に限定は無いが、例えば、布や紙、樹脂等を挙げることが出来る。又、シート１４は、クリップ１５により張力が掛けられることから、多少の伸縮性を有すると好ましい。
【００５０】
又、クリップ１５の構成に特に限定は無く、枠体１０の囲いに被せたシート１４を把持することが出来るクリップ１５であれば、どのようなクリップであっても構わない。
【００５１】
又、本考案の実施形態に係る可搬式撮影台１では、上述の構成の他に、更に、他の機能を追加しても構わない。
【００５２】
さて、本考案の実施形態に係る可搬式撮影台１の作用効果について説明する。例えば、カメラマンが、本考案の実施形態に係る可搬式撮影台１を実施例として用意した。実施例の重量は、１ｋｇ以下であり、縦３０ｃｍ以下（例えば、縦２１ｃｍ）であり、横６０ｃｍ以下（例えば、横５６ｃｍ）であり、奥行き７ｃｍ以下（例えば、奥行き５ｃｍ）である。これぐらいの重量と大きさであれば、女性でも簡単に持ち運び出来る。
【００５３】
この実施例を所定の撮影場所で展開すれば、縦１００ｃｍ、横１００ｃｍぐらいの略四角形状の広さとなる。図１１、図１２に示すように、被写体をぬいぐるみにして、ぬいぐるみを、クッション１３の上のシート１４に置いて、シート１４に張力を掛けて、シート１４をクリップ１５で留めて、立ち上がって写真を撮影した。すると、図１３に示すように、ぬいぐるみの周りの背景は、シート１４となり、且つ、皺が生じない綺麗な背景になっていることが理解される。
【００５４】
更に、カメラマンが、しゃがんで写真を撮影すると、図１４に示すように、ぬいぐるみの側面の背景は、シート１４となり、且つ、皺が生じない綺麗な背景になっていることが理解される。
【００５５】
又、図１５に示すように、カメラマンが、枠体１０の下方近傍（壁面用パイプ１２の背景壁面の下方付近）に、ストロボ等の光源１６を設けて、立ち上がって写真を撮影すると、図１６に示すように、ぬいぐるみの背景から光を照射した綺麗な写真になることが理解される。更に、カメラマンが、しゃがんで写真を撮影すると、図１７に示すように、ぬいぐるみの背景から光を照射し、透け感がある綺麗な写真になることが理解される。つまり、簡単に、逆光のライティングで写真撮影をすることが出来るのである。このように、本考案の実施形態に係る可搬式撮影台１では、背景が綺麗な写真を簡単に撮影することが出来る。
【００５６】
一方、比較のため、本考案の実施形態に係る可搬式撮影台１のうち、壁面用パイプ１２を取り外し、枠体１０の囲いと、クッション１３のみの撮影台を比較例として用意し、図１８に示すように、ぬいぐるみを、クッション１３の上のシート１４に置いて、シート１４に張力を掛けて、シート１４をクリップ１５で留めて、立ち上がって写真を撮影した。すると、図１９に示すように、ぬいぐるみの周りの背景は、シート１４になるものの、枠体１０の剛性が弱いためか、シート１４の張力に枠体１０が負けて、枠体１０の支柱１０ｂが内側に移動し、シート１４に皺が生じてしまい、綺麗な背景にならないことが理解される。
【００５７】
更に、カメラマンが、しゃがんで写真を撮影すると、図２０に示すように、ぬいぐるみの側面には、撮影場所の設置品が映し出されてしまい、雑多な背景になってしまうことが理解される。このように、単に枠体１０の囲いの中にクッション１３を置いて、シート１４を被せて、クリップ１５で留めたとしても、シート１４に皺が生じたり、背景にある設置品が映し出されたりして、綺麗な写真を撮影することが出来ないことが理解される。
【００５８】
このように、本考案は、狭い場所でも、簡単に、綺麗な写真を撮影出来る撮影環境を作ることが出来るとともに、軽く、小さく、女性一人でもコンパクトに折り畳んで持ち運びすることが可能となる。
【産業上の利用可能性】
【００５９】
以上のように、本考案は、出張撮影サービスに限らず、狭い場所で綺麗な写真を撮影するための可搬式撮影台として有用であり、狭い場所でも簡単に撮影環境を作ることが出来るとともに、軽く、小さく、女性一人でもコンパクトに折り畳んで持ち運びすることが可能な可搬式撮影台として有効である。
【符号の説明】
【００６０】
１    可搬式撮影台
１０  枠体
１１  装着用パイプ
１２  壁面用パイプ
１３  クッション
１４  シート
１５  クリップ
【図１】
0003226107.tif 000003
【図２】
0003226107.tif 000004
【図３】
0003226107.tif 000005
【図４】
0003226107.tif 000006
【図５】
0003226107.tif 000007
【図６】
0003226107.tif 000008
【図７】
0003226107.tif 000009
【図８】
0003226107.tif 000010
【図９】
0003226107.tif 000011
【図１０】
0003226107.tif 000012
【図１１】
0003226107.tif 000013
【図１２】
0003226107.tif 000014
【図１３】
0003226107.tif 000015
【図１４】
0003226107.tif 000016
【図１５】
0003226107.tif 000017
【図１６】
0003226107.tif 000018
【図１７】
0003226107.tif 000019
【図１８】
0003226107.tif 000020
【図１９】
0003226107.tif 000021
【図２０】
0003226107.tif 000022